(57)【要約】【課題】溶着時における第１フレームと第２フレームとの間の位置ずれを抑制できる現像カートリッジを提供すること。【解決手段】  ベース前傾斜溶着面３５Ｂは、前方に向かうに従って下方に傾斜し、ベース後傾斜溶着面３５Ｄは、後方に向かうに従って下方に傾斜している。同様に、カバー前傾斜溶着面５６Ｆは、前方に向かうに従って下方に傾斜し、カバー後傾斜溶着面６２Ａは、後方に向かうに従って下方に傾斜している。そして、上下方向において、ベース前傾斜溶着面３５Ｂとカバー前傾斜溶着面５６Ｆとが重なり合い、ベース後傾斜溶着面３５Ｄとカバー後傾斜溶着面６２Ａとが重なり合う。そのため、カバーフレーム３４がベースフレーム３３に対して溶着される際に下方に押圧されても、カバーフレーム３４がベースフレーム３３から受ける力を、前後方向において反対方向に分散させることができる。【選択図】図３
2016045397.tif 000002
【特許請求の範囲】
【請求項１】
現像ローラと、
第１方向に延びる第１溶着面と、前記第１方向と交差する第２方向に延びる第２溶着面と、前記第１方向と交差するとともに前記第２方向とは異なる第３方向に延び、前記第１溶着面に対して前記第２溶着面の反対側に位置する第３溶着面と、を有する第１フレームと、
前記第１溶着面に溶着される第４溶着面と、前記第２溶着面に溶着される第５溶着面と、前記第３溶着面に溶着される第６溶着面と、を有する第２フレームと、を備えることを特徴とする、現像カートリッジ。
【請求項２】
前記第２溶着面と前記第３溶着面とは、前記第１溶着面と連続していることを特徴とする、請求項１に記載の現像カートリッジ。
【請求項３】
前記第１フレームは、前記現像ローラの回転軸線が延びる方向である回転軸線方向に間隔を隔てて位置する第１側壁および第２側壁と、前記第１側壁と前記第２側壁とを連結する底壁であって、前記回転軸線方向と前記第１方向との両方に直交する第４方向において前記第２フレームと間隔を隔てて位置する底壁と、を備え、
前記第２方向は、前記第４方向において前記第２フレームから前記底壁に向かうに従って、前記第１方向において一方に向かうように傾斜し、
前記第３方向は、前記第４方向において前記第２フレームから前記底壁に向かうに従って、前記第１方向において前記一方とは反対の他方に向かうように傾斜することを特徴とする、請求項１または２に記載の現像カートリッジ。
【請求項４】
前記回転軸線方向において前記第１側壁と前記第２側壁とを連結し、前記第２フレームと溶着される連結壁をさらに備え、
前記連結壁は、前記第３溶着面を有することを特徴とする、請求項３に記載の現像カートリッジ。
【請求項５】
前記現像ローラの現像剤の厚さを規制するように構成される層厚規制部材と、
前記第１フレームおよび前記第２フレームと、前記層厚規制部材との間に位置するシール部材であって、前記第１フレームと前記第２フレームとの境界に跨って位置するシール部材と、をさらに備えることを特徴とする、請求項１ないし４のいずれか一項に記載の現像カートリッジ。
【請求項６】
前記第１フレームは、把持部をさらに備え、
前記把持部は、前記第３溶着面を有することを特徴とする、請求項１ないし５のいずれか一項に記載の現像カートリッジ。
【発明の詳細な説明】
【技術分野】
【０００１】
本発明は、電子写真方式が採用される画像形成装置に装着されるように構成される現像カートリッジに関する。
【背景技術】
【０００２】
従来より、電子写真方式が採用される画像形成装置に装着される現像カートリッジが知られている。現像カートリッジは、略ボックス形状のフレームを備えており、フレーム内にトナーが充填されている。
【０００３】
このような現像カートリッジとして、第１フレームと第２フレームとから構成されるフレームを備える現像カートリッジが知られている。この現像カートリッジでは、第１フレームは、フレームの下側を構成する有底枠形状に形成される。また、第２フレームは、フレームの上側を構成する平面視略矩形の平板形状に形成される。そして、第１フレームに第２フレームを重ね合せ、第１フレームと第２フレームとの当接部分を溶着することにより、フレームが組み立てられる。また、第１フレームは、重ね合せ方向に対して傾斜する第１支持部側溶着面を有し、第２フレームは、重ね合せ方向に対して傾斜する第２支持部側溶着面を有する（例えば、特許文献１参照）。
【先行技術文献】
【特許文献】
【０００４】
【特許文献１】特開２０１１−１３３７６１号公報
【発明の概要】
【発明が解決しようとする課題】
【０００５】
しかるに、上記特許文献１に記載の現像カートリッジでは、第１フレームの第１支持部側溶着面と第２フレームの第２支持部側溶着面とが当接される。そのため、第１フレームと第２フレームとの溶着の際に、重ね合せ方向に沿って押圧力を加えると、第２フレームの第２支持部側溶着面が第１フレームの第１支持部側溶着面から受ける反力は、重ね合せ方向との直交方向に発生する。その結果、第１フレームと第２フレームとの間で位置ずれが発生する場合がある。
【０００６】
そこで、本発明の目的は、溶着時における第１フレームと第２フレームとの間の位置ずれを抑制できる現像カートリッジを提供することにある。
【課題を解決するための手段】
【０００７】
（１）上記目的を達成するために、本発明の現像カートリッジは、現像ローラと、第１方向に延びる第１溶着面と、第１方向と交差する第２方向に延びる第２溶着面と、第１方向と交差するとともに第２方向とは異なる第３方向に延び、第１溶着面に対して第２溶着面の反対側に位置する第３溶着面と、を有する第１フレームと、第１溶着面に溶着される第４溶着面と、第２溶着面に溶着される第５溶着面と、第３溶着面に溶着される第６溶着面と、を有する第２フレームと、を備える。
【０００８】
このような構成によれば、第２溶着面は、第１溶着面が延びる第１方向と交差する第２方向に延びる。また、第３溶着面は、第１方向と交差するとともに第２方向とは異なる第３方向に延びる。そして、第２溶着面は、第５溶着面に溶着され、第３溶着面は、第６溶着面に溶着される。
【０００９】
そのため、第２フレームが第１フレームに対して溶着される際に第１フレームに向かって押圧されても、第２フレームが第１フレームから受ける力を第２溶着面と第５溶着面との溶着面と、第３溶着面と第６溶着面との溶着面とに分散させることができる。
【００１０】
その結果、溶着時における第１フレームと第２フレームとの間の位置ずれを抑制できる。
（２）また、第２溶着面と第３溶着面とは、第１溶着面と連続していてもよい。
【００１１】
このような構成によれば、第１フレームにおいて、第２溶着面および第３溶着面をバランスよく位置させることができる。
【００１２】
そのため、第１フレームに対して第２フレームが溶着される際に、第１フレームが第２フレームから受ける力をバランスよく分散させることができる。
【００１３】
その結果、溶着時における第１フレームと第２フレームとの間の位置ずれを一層抑制できる。
（３）また、第１フレームは、現像ローラの回転軸線が延びる方向である回転軸線方向に間隔を隔てて位置する第１側壁および第２側壁と、第１側壁と第２側壁とを連結する底壁であって、回転軸線方向と第１方向との両方に直交する第４方向において第２フレームと間隔を隔てて位置する底壁と、を備えてもよい。第２方向は、第４方向において第２フレームから底壁に向かうに従って、第１方向において一方に向かうように傾斜してもよい。第３方向は、第４方向において第２フレームから底壁に向かうに従って、第１方向において一方とは反対の他方に向かうように傾斜してもよい。
【００１４】
このような構成によれば、第２溶着面と第３溶着面とは、第４方向において第２フレームから底壁に向かうに従って、第１方向において反対方向に傾斜する。第２溶着面は、第５溶着面に溶着され、第３溶着面は、第６溶着面に溶着される。
【００１５】
そのため、第２フレームが第１フレームに対して溶着される際に第４方向に押圧されても、第２フレームが第１フレームから受ける力を第１方向において反対方向に分散させることができる。
【００１６】
その結果、溶着時における第１フレームと第２フレームとの間の位置ずれを一層抑制できる。
（４）また、現像カートリッジは、回転軸線方向において第１側壁と第２側壁とを連結し、第２フレームと溶着される連結壁をさらに備えてもよい。連結壁は、第３溶着面を有してもよい。
【００１７】
このような構成によれば、第１フレームにおいて、第２溶着面および第３溶着面を一層バランスよく位置させることができる。
【００１８】
その結果、溶着時における第１フレームと第２フレームとの間の位置ずれを一層抑制できる。
（５）また、現像カートリッジは、現像ローラの現像剤の厚さを規制するように構成される層厚規制部材と、第１フレームおよび第２フレームと、層厚規制部材との間に位置するシール部材であって、第１フレームと第２フレームとの境界に跨って位置するシール部材と、をさらに備えてもよい。
【００１９】
このような構成によれば、シール部材によって、第１フレームと第２フレームとからトナーが漏れることを抑制できる。
（６）また、第１フレームは、把持部をさらに備えてもよい。把持部は、第３溶着面を有してもよい。
【００２０】
このような構成によれば、第１フレームにおいて、第２溶着面および第３溶着面を一層バランスよく位置させることができる。
【００２１】
その結果、溶着時における第１フレームと第２フレームとの間の位置ずれを一層抑制できる。
【発明の効果】
【００２２】
本発明の現像カートリッジでは、溶着時における第１フレームと第２フレームとの間の位置ずれを抑制できる。
【図面の簡単な説明】
【００２３】
【図１】図１Ａは、本発明の現像カートリッジの一実施形態としての現像カートリッジを左上方から見た状態を示す斜視図である。図１Ｂは、図１Ａに示す現像カートリッジの現像フレームを示す側面図である。
【図２】図２は、図１Ａに示す現像カートリッジを備えるプリンタの中央断面図である。
【図３】図３Ａは、図１Ａに示す現像カートリッジのカバーフレームを左下方から見た状態を示す斜視図である。図３Ｂは、図１Ａに示す現像カートリッジのベースフレームを左上方から見た状態を示す斜視図である。
【図４】図４Ａは、図１Ａに示す現像カートリッジの現像フレームを右後方から見た状態を示す分解斜視図である。図４Ｂは、図１Ａに示す現像カートリッジにおいて、現像ローラ、層厚規制ブレードおよびシール材を外した状態を示す背面図である。図４Ｃは、図４Ｂに示す現像カートリッジにおいて、シール材を取り付けた状態を示す背面図である。
【図５】図５Ａは、図１Ａに示す現像カートリッジの第２実施形態のカバーフレームを示す斜視図であって、左下方から見た状態を示す斜視図である。図５Ｂは、図１Ａに示す現像カートリッジの第２実施形態のベースフレームを示す斜視図であって、左上方から見た状態を示す斜視図である。
【図６】図６は、図１Ａに示す現像カートリッジの第２実施形態の現像フレームを示す側面図である。
【図７】図７Ａは、図１Ａに示す現像カートリッジの第３実施形態のカバーフレームを示す斜視図であって、左下方から見た状態を示す斜視図である。図７Ｂは、図１Ａに示す現像カートリッジの第３実施形態のベースフレームを示す斜視図であって、左上方から見た状態を示す斜視図である。
【図８】図８は、図１Ａに示す現像カートリッジの第３実施形態の現像フレームを示す側面図である。
【図９】図９Ａは、図１Ａに示す現像カートリッジの第４実施形態のカバーフレームを示す斜視図であって、左下方から見た状態を示す斜視図である。図９Ｂは、図１Ａに示す現像カートリッジの第４実施形態のベースフレームを示す斜視図であって、左上方から見た状態を示す斜視図である。
【図１０】図１０は、図１Ａに示す現像カートリッジの第４実施形態の現像フレームを示す側面図である。
【発明を実施するための形態】
【００２４】
１．現像カートリッジの概略
図１Ａおよび図２に示すように、現像カートリッジ１は、現像フレーム３１と、その現像フレーム３１に備えられる現像ローラ２と、現像フレーム３１に収容される供給ローラ３および層厚規制部材の一例としての層厚規制ブレード４とを備えている。後述するように、現像フレーム３１内は、現像剤収容部の一例としてのトナー収容室５と、現像室７とに区画されている。
【００２５】
なお、以下の説明において、現像カートリッジ１の方向に言及するときには、現像カートリッジ１を水平に載置した状態を基準とする。具体的には、図１Ａに示す方向矢印を基準とする。すなわち、図１Ａの紙面上方が上方であり、紙面下方が下方である。また、図１Ａの紙面右方が前方であり、図１Ａの紙面左方が後方である。また、現像カートリッジ１を前方から見たときを左右の基準とする。すなわち、図１Ａの紙面右下方手前が左方であり、図１Ａの紙面左上方奥が右方である。また、左右方向は、回転軸線方向の一例であり、上下方向は、第４方向の一例であり、前後方向は、第１方向の一例である。
【００２６】
現像ローラ２は、現像フレーム３１の後端部に回転可能に支持されている。現像ローラ２は、左右方向に延びる略円柱形状を有しており、左右方向に延びる回転軸線の一例としての第１軸線Ｌ１を中心として回転可能である。
【００２７】
供給ローラ３は、現像ローラ２の前下方に位置している。供給ローラ３は、現像カートリッジ１に回転可能に支持されている。供給ローラ３は、左右方向に延びる略円柱形状を有しており、左右方向に延びる第２軸線Ｌ２を中心として回転可能である。供給ローラ３は、現像ローラ２の前下端部に接触している。
【００２８】
層厚規制ブレード４は、現像ローラ２の前上方に位置している。層厚規制ブレード４は、現像ローラ２の前端部に接触している。
【００２９】
トナー収容室５は、供給ローラ３および層厚規制ブレード４の前方に位置している。トナー収容室５は、現像剤の一例としてのトナーを収容するように構成されている。トナー収容室５は、アジテータ６を備えている。また、トナー収容室５の後方には、現像室７が位置している。
【００３０】
アジテータ６は、トナー収容室５内に回転可能に支持されている。
２．現像カートリッジの使用態様
図２に示すように、現像カートリッジ１は、画像形成装置１１に装着されて使用される。
【００３１】
画像形成装置１１は、電子写真方式のモノクロプリンタである。画像形成装置１１は、装置本体１２と、プロセスカートリッジ１３と、スキャナユニット１４と、定着ユニット１５とを備えている。
【００３２】
装置本体１２は、略ボックス形状を有している。装置本体１２は、開口部１６と、フロントカバー１７と、給紙トレイ１８と、排紙トレイ１９とを有している。
【００３３】
開口部１６は、装置本体１２の前端部に位置している。開口部１６は、プロセスカートリッジ１３の通過を許容するように、装置本体１２の内外を前後方向に連通している。
【００３４】
フロントカバー１７は、装置本体１２の前端部に位置している。
【００３５】
給紙トレイ１８は、装置本体１２の底部に位置している。給紙トレイ１８は、用紙Ｐを収容するように構成されている。
【００３６】
排紙トレイ１９は、装置本体１２の上壁の中央に位置している。排紙トレイ１９は、用紙Ｐが載置されるように、装置本体１２の上面から下方へ凹んでいる。
【００３７】
プロセスカートリッジ１３は、装置本体１２の上下方向略中央に収容されている。プロセスカートリッジ１３は、装置本体１２に対して装着または離脱するように構成されている。プロセスカートリッジ１３は、ドラムカートリッジ２０と、上記した現像カートリッジ１とを備えている。
【００３８】
ドラムカートリッジ２０は、感光ドラム２１と、スコロトロン型帯電器２２と、転写ローラ２３とを備えている。
【００３９】
感光ドラム２１は、ドラムカートリッジ２０の後端部に回転可能に支持されている。
【００４０】
スコロトロン型帯電器２２は、感光ドラム２１の後上方において、感光ドラム２１と間隔を隔てて位置している。
【００４１】
転写ローラ２３は、感光ドラム２１の下方に位置している。転写ローラ２３は、感光ドラム２１の下端部と接触している。
【００４２】
現像カートリッジ１は、感光ドラム２１の前方において、現像ローラ２が感光ドラム２１に接触するように、ドラムカートリッジ２０に離脱可能に装着されている。
【００４３】
スキャナユニット１４は、プロセスカートリッジ１３の上方に位置している。スキャナユニット１４は、感光ドラム２１に向けて画像データに基づくレーザービームを出射するように構成されている。
【００４４】
定着ユニット１５は、プロセスカートリッジ１３の後方に位置している。定着ユニット１５は、加熱ローラ２４と、加熱ローラ２４の後下端部に圧接される加圧ローラ２５とを備えている。
【００４５】
画像形成装置１１が画像形成動作を開始すると、スコロトロン型帯電器２２は、感光ドラム２１の表面を一様に帯電する。スキャナユニット１４は、感光ドラム２１の表面を露光する。これにより、画像データに基づく静電潜像が、感光ドラム２１の表面に形成される。
【００４６】
また、アジテータ６は、トナー収容室５内のトナーを撹拌して、供給ローラ３に供給する。供給ローラ３は、アジテータ６によって供給されたトナーを現像ローラ２に供給する。このとき、トナーは、現像ローラ２と供給ローラ３との間で正極性に摩擦帯電され、現像ローラ２に担持される。層厚規制ブレード４は、現像ローラ２に担持されたトナーの層厚を一定厚さに規制する。
【００４７】
そして、現像ローラ２に担持されたトナーは、感光ドラム２１表面の静電潜像に供給される。これにより、トナー像が、感光ドラム２１の表面に担持される。
【００４８】
用紙Ｐは、給紙トレイ１８から、各種ローラの回転により、所定のタイミングで１枚ずつ、感光ドラム２１と転写ローラ２３との間に給紙される。感光ドラム２１表面のトナー像は、用紙Ｐが感光ドラム２１と転写ローラ２３との間を通過するときに、用紙Ｐに転写される。
【００４９】
その後、用紙Ｐは、加熱ローラ２４と加圧ローラ２５との間を通過するときに加熱および加圧される。これにより、用紙Ｐ上のトナー像は、用紙Ｐに熱定着される。その後、用紙Ｐは、排紙トレイ１９に排紙される。
３．現像カートリッジの詳細
現像カートリッジ１は、図１Ａおよび図１Ｂに示すように、上記した現像フレーム３１を備えている。
（１）現像フレーム
現像フレーム３１は、現像カートリッジ１の筐体を構成しており、略ボックス形状を有している。現像フレーム３１は、第１フレームの一例としてのベースフレーム３３と、第２フレームの一例としてのカバーフレーム３４とを備えている。
（１−１）ベースフレーム
（１−１−１）ベースフレームの構成
ベースフレーム３３は、図３Ｂおよび図４Ａに示すように、現像フレーム３１の下方部分を構成しており、上方および後方に向かって開放された有底枠形状を有している。ベースフレーム３３は、１対の側壁３５と、連結壁の一例としての前壁３６と、底壁の一例としての下壁３７とを一体的に備えている。
【００５０】
１対の側壁３５のそれぞれは、前後方向に延びる側面視略矩形状の平板形状を有しており、左右方向に互いに間隔を隔てて位置している。１対の側壁３５のそれぞれは、固定部４１を備えている。なお、左方の側壁３５が第１側壁の一例としての左側壁３５Ｆであり、右方の側壁３５が第２側壁の一例としての右側壁３５Ｇである。
【００５１】
固定部４１は、１対の側壁３５のそれぞれの後方部分から上方に突出しており、１対の側壁３５のそれぞれの後上端部の左右方向外側半分部分に位置している。固定部４１は、ねじ挿通部４２と、ブレード位置決めボス４３と、カバーフレーム位置決めボス３９とを備えている。ねじ挿通部４２は、前後方向に延びる略筒形状を有している。ブレード位置決めボス４３は、ねじ挿通部４２の後端面から後方に沿って延びる略円筒形状を有している。カバーフレーム位置決めボス３９は、ねじ挿通部４２の前方に位置している。
【００５２】
前壁３６は、左右方向に延びる正面視略矩形状の平板形状を有しており、１対の側壁３５の前端部間に架設されている。前壁３６は、把持部の一例としての操作部３８を有している。
【００５３】
操作部３８は、前壁３６において、左右方向における中央部分、かつ、上下方向における中央から上端までの部分から前方に向かって突出している。
【００５４】
下壁３７は、前後方向に延びる湾曲板形状を有しており、１対の側壁３５の下端部間、および、前壁３６の下端部に架設されている。下壁３７は、第１下壁部３７Ａ、第２下壁部３７Ｂおよび第３下壁部３７Ｃを一体的に備えている。
【００５５】
第１下壁部３７Ａは、下壁３７の前後方向中央のやや後方部分から前端部までを構成しており、側面視において、上方が開放された緩やかな円弧形状を有している。
【００５６】
第２下壁部３７Ｂは、第１下壁部３７Ａの後端部から連続して後方に延びており、側面視において、上方が開放された緩やかな円弧形状を有している。
【００５７】
第３下壁部３７Ｃは、第２下壁部３７Ｂの後端部から連続して後下方に側面視直線状に延びている。
【００５８】
１対の側壁３５、前壁３６、第１下壁部３７Ａおよび後述する前カバー部５１によって囲まれる領域がトナー収容室５である。また、１対の側壁３５、第２下壁部３７Ｂ、第３下壁部３７Ｃおよび後述する後カバー部５２によって囲まれる領域が現像室７である。図２および図３Ｂに示すように、トナー収容室５内において、上記したアジテータ６が回転可能に支持されており、現像室７内において上記した現像ローラ２および供給ローラ３が回転可能に支持されている。
（１−１−２）ベース溶着面
図３Ｂおよび図４Ａに示すように、ベースフレーム３３の上面、すなわち、１対の側壁３５のそれぞれの上端面と、前壁３６の上端面とは、ベース溶着面４０を構成している。
【００５９】
詳しくは、１対の側壁３５のそれぞれは、第１溶着面の一例としてのベース中央溶着面３５Ａと、第３溶着面の一例としてのベース前傾斜溶着面３５Ｂと、ベース前端溶着面３５Ｃと、第２溶着面の一例としてのベース後傾斜溶着面３５Ｄとを備えている。
【００６０】
ベース中央溶着面３５Ａは、１対の側壁３５のそれぞれの中央部分の上端面であって、平面視略矩形状を有しており、前後方向に延びている。
【００６１】
ベース前傾斜溶着面３５Ｂは、ベース中央溶着面３５Ａから連続して第３方向の一例としての前下方に延びている。ベース前傾斜溶着面３５Ｂは、１対の側壁３５のそれぞれの前方部分の上端面であって、平面視略矩形状を有し、前方に向かうに従って下方に向かうように傾斜している。
【００６２】
ベース前端溶着面３５Ｃは、ベース前傾斜溶着面３５Ｂから連続して前方に延びている。ベース前端溶着面３５Ｃは、１対の側壁３５のそれぞれの前端部分の上端面であって、平面視略矩形状を有しており、前後方向に延びている。
【００６３】
ベース後傾斜溶着面３５Ｄは、ベース中央溶着面３５Ａから連続して第２方向の一例としての後下方に延びている。ベース後傾斜溶着面３５Ｄは、１対の側壁３５のそれぞれの後方部分の上端面であって、平面視略矩形状を有し、後方に向かうに従って下方に向かうように傾斜している。詳しくは、ベース後傾斜溶着面３５Ｄは、１対の側壁３５のそれぞれの後方部分の上端面のうち、上記した固定部４１の固定部分を除く部分である。具体的には、ベース後傾斜溶着面３５Ｄは、１対の側壁３５のそれぞれの後上端部の左右方向内側半分部分に位置している。
【００６４】
これにより、１対の側壁３５のそれぞれの上端面は、中央部分が前後方向に延び、中央部分から前後方向外方に向かうに従って下方に傾斜するように屈曲している。
【００６５】
前壁３６は、ベース前溶着面３６Ａを有している。
【００６６】
ベース前溶着面３６Ａは、前壁３６の上端面であって、平面視略矩形状を有しており、左右方向に延びている。ベース前溶着面３６Ａの左端部は、左方の側壁３５のベース前端溶着面３５Ｃの前端部と連続しており、ベース前溶着面３６Ａの右端部は、右方の側壁３５のベース前端溶着面３５Ｃの前端部と連続している。
【００６７】
前壁３６のベース前溶着面３６Ａと、１対の側壁３５のそれぞれのベース中央溶着面３５Ａ、ベース前傾斜溶着面３５Ｂ、ベース前端溶着面３５Ｃおよびベース後傾斜溶着面３５Ｄとが、ベース溶着面４０を構成している。
【００６８】
これにより、ベース溶着面４０は、平面視において、後方が開放される略コ字形状を有している。
（１−２）カバーフレーム
（１−２−１）カバーフレームの構成
カバーフレーム３４は、図３Ａおよび図４Ａに示すように、現像フレーム３１の上方部分を構成しており、ベースフレーム３３を上方から被覆している。カバーフレーム３４は、平面視略矩形状の平板形状を有している。カバーフレーム３４は、前カバー部５１と、後カバー部５２とを備えている。
【００６９】
前カバー部５１は、カバーフレーム３４の前方部分であって、トナー収容室５を上方から被覆しており、平面視略矩形状の平板形状を有している。前カバー部５１は、前蓋部５３と、鍔部５４とを備えている。
【００７０】
前蓋部５３は、前カバー部５１の中央部分に位置しており、上方に向かって膨出しつつ、左右方向および前後方向に広がっており、平面視略矩形状を有している。
【００７１】
鍔部５４は、平面視において、前蓋部５３を囲むように、前蓋部５３に対して左右両方および前方に位置している。鍔部５４は、後方に向かって開放される平面視略コ字状を有している。鍔部５４は、前鍔部５５と、１対の横鍔部５６とを備えている。
【００７２】
前鍔部５５は、前蓋部５３の前下端部から前方に突出する平面視略矩形状の平板形状を有しており、左右方向に延びている。
【００７３】
１対の横鍔部５６のそれぞれは、前蓋部５３の左右両下端部から左右方向外方に突出する平面視略矩形状の平板形状を有しており、前後方向に延びている。左方の横鍔部５６の前端部は、前鍔部５５の左端部に連続しており、右方の横鍔部５６の前端部は、前鍔部５５の右端部に連続している。１対の横鍔部５６のそれぞれの後端部は、前後方向において、前蓋部５３の後端部よりも後方に突出している。これにより、１対の横鍔部５６は、後述する後カバー部５２を左右方向において挟むように位置している。また、１対の横鍔部５６のそれぞれは、位置決め穴５６Ｄを有している。
【００７４】
位置決め穴５６Ｄは、１対の横鍔部５６のそれぞれの後端部に位置している。位置決め穴５６Ｄは、１対の横鍔部５６のそれぞれを厚み方向に貫通しており、平面視において、前後方向に長い楕円形状を有している。位置決め穴５６Ｄの長軸は、位置決めボス３９の外径よりもやや大きい。
【００７５】
後カバー部５２は、前カバー部５１から後方に突出している。後カバー部５２は、カバーフレーム３４の前方部分であって、現像室７を上方から被覆しており、平面視略矩形状の平板形状を有している。後カバー部５２は、後蓋部６１と、１対の後傾斜鍔部６２と、載置部６３とを備えている。
【００７６】
後蓋部６１は、前蓋部５３の後端部から、後方に向かうに従って下方に向かうように傾斜した後、後方に延びており、左右方向に延びる平面視略矩形状を有している。
【００７７】
１対の後傾斜鍔部６２のそれぞれは、後蓋部６１の左右方向両端部から左右方向外方に突出している。１対の後傾斜鍔部６２のそれぞれは、平面視略矩形の平板形状を有しており、後方に向かうに従って下方に向かうように傾斜している。１対の後傾斜鍔部６２のそれぞれの前端部は、前蓋部５３の左右方向両端部に連続している。図１Ａおよび図４Ａに示すように、１対の後傾斜鍔部６２のそれぞれは、その一部が層厚規制ブレード４によって上方から覆われている。
【００７８】
図３Ａおよび図４Ａに示すように、載置部６３は、後蓋部６１の後端部、および、１対の後傾斜鍔部６２のそれぞれの後端部に連続しており、左右方向に延びる背面視略矩形の平板形状を有している。載置部６３は、その左右方向両下端部に、上方に向かって窪む凹部６３Ａを備えている。凹部６３Ａは、後傾斜鍔部６２の後端部と連続している。
（１−２−２）カバー溶着面
図３Ａに示すように、前鍔部５５の下面と、１対の横鍔部５６のそれぞれの下面と、１対の後傾斜鍔部６２のそれぞれの下面とが、カバー溶着面７０を構成している。
【００７９】
詳しくは、前鍔部５５の下面が、カバー前溶着面５５Ａを構成している。また、１対の横鍔部５６のそれぞれは、中央鍔部５６Ａと、前傾斜鍔部５６Ｂと、前端鍔部５６Ｃとを備えており、１対の後傾斜鍔部６２のそれぞれの下面が、第５溶着面の一例としてのカバー後傾斜溶着面６２Ａを構成している。
【００８０】
さらに詳述すると、１対の横鍔部５６のそれぞれにおいて、中央鍔部５６Ａは、前蓋部５３の左右方向の両下端部から左右方向外方に突出する平面視略矩形状の平板形状を有しており、前後方向に延びている。詳しくは、中央鍔部５６Ａは、前蓋部５３の前後方向中央部分および後方部分における左右両下端部から左右方向外方に突出しており、かつ、前後方向に延びている。中央鍔部５６Ａの後端部は、前後方向において、前蓋部５３の後端部よりも後方に突出している。中央鍔部５６Ａの下面が、第４溶着面の一例としてのカバー中央溶着面５６Ｅを構成している。
【００８１】
前傾斜鍔部５６Ｂは、中央鍔部５６Ａから連続して前下方に延びている。前傾斜鍔部５６Ｂは、前蓋部５３の前方部分の左右方向両下端部から左右方向外方に突出する平面視略矩形状の平板形状を有しており、側面視において傾斜している。詳しくは、前傾斜鍔部５６Ｂは、前方に向かうに従って下方に向かうように傾斜している。前傾斜鍔部５６Ｂの下面が、第６溶着面の一例としてのカバー前傾斜溶着面５６Ｆを構成している。
【００８２】
前端鍔部５６Ｃは、前傾斜鍔部５６Ｂから連続して前方に延びている。前端鍔部５６Ｃは、前蓋部５３の前端部分における左右方向両下端部から左右方向外方に突出する平面視略矩形状の平板形状を有しており、前後方向に延びている。左方の前端鍔部５６Ｃの前端部は、前鍔部５５の左前端部と連続しており、右方の前端鍔部５６Ｃの前端部は、前鍔部５５の右前端部と連続している。前端鍔部５６Ｃの下面がカバー前端溶着面５６Ｇを構成している。
【００８３】
そして、前鍔部５５のカバー前溶着面５５Ａと、１対の横鍔部５６のそれぞれのカバー中央溶着面５６Ｅ、カバー前傾斜溶着面５６Ｆおよびカバー前端溶着面５６Ｇと、１対の後傾斜鍔部６２のそれぞれのカバー後傾斜溶着面６２Ａとがカバー溶着面７０を構成している。
【００８４】
カバー溶着面７０は、底面視において、後方が開放される略コ字形状を有している。
（１−２−３）溶着リブ
カバー溶着面７０には、溶着リブ７１が位置している。溶着リブ７１は、カバー溶着面７０から下方に向かって凸条に突出している。
【００８５】
溶着リブ７１は、底面視において、カバー前溶着面５５Ａに沿って左右方向外方に延びた後、１対のカバー前端溶着面５６Ｇ、カバー前傾斜溶着面５６Ｆおよびカバー中央溶着面５６Ｅの下面に沿って後方に延び、さらに、１対のカバー後傾斜溶着面６２Ａに沿って後方に延びており、その後端部は、１対のカバー後傾斜溶着面６２Ａの後端部に位置している。これにより、溶着リブ７１は、底面視において、後方が開放される略コ字形状を有している。
（２）シール材
図４Ａおよび図４Ｃに示すように、後カバー部５２の載置部６３には、シール部材の一例としてのシール材８０が取り付けられる。
【００８６】
シール材８０は、樹脂製のスポンジ等から形成されており、左右方向に延びる背面視略矩形の平板形状を有している。シール材８０の左右方向の長さは、載置部６３の左右方向の長さとほぼ同一であり、シール材８０の上下方向の長さは、載置部６３の上下方向の長さよりも短い。
４．現像フレームの組み立て
図４Ａおよび図４Ｂに示すように、現像フレーム３１を組み立てる際は、カバーフレーム３４をベースフレーム３３の上方に位置させた後、ベースフレーム３３の上端面にカバーフレーム３４の下端面を重ね合せるようにしてベースフレーム３３をカバーフレーム３４に向けて押圧しつつ、これらの当接面を溶着する。
【００８７】
詳しくは、ベースフレーム３３のカバーフレーム位置決めボス３９にカバーフレーム３４の位置決め穴５６Ｄが嵌るように、ベースフレーム３３に対してカバーフレーム３４を上方から重ね合せる。
【００８８】
すると、ベースフレーム３３のベース溶着面４０にカバーフレーム３４のカバー溶着面７０が当接する。具体的には、ベース前溶着面３６Ａにカバー前溶着面５５Ａが当接し、１対のベース前端溶着面３５Ｃのそれぞれに１対のカバー前端溶着面５６Ｇのそれぞれが当接し、１対のベース前傾斜溶着面３５Ｂのそれぞれに１対のカバー前傾斜溶着面５６Ｆのそれぞれが当接し、１対のベース中央溶着面３５Ａのそれぞれに１対のカバー中央溶着面５６Ｅのそれぞれが当接し、１対のベース後傾斜溶着面３５Ｄのそれぞれに１対のカバー後傾斜溶着面６２Ａのそれぞれが当接する。
【００８９】
この状態においては、ベース前溶着面３６Ａにカバー前溶着面５５Ａが沿っており、１対のベース前端溶着面３５Ｃのそれぞれに１対のカバー前端溶着面５６Ｇのそれぞれが沿っており、１対のベース前傾斜溶着面３５Ｂのそれぞれに１対のカバー前傾斜溶着面５６Ｆのそれぞれが沿っており、１対のベース中央溶着面３５Ａのそれぞれに１対のカバー中央溶着面５６Ｅのそれぞれが沿っており、１対のベース後傾斜溶着面３５Ｄのそれぞれに１対のカバー後傾斜溶着面６２Ａのそれぞれが沿っている。
【００９０】
そして、カバーフレーム３４をベースフレーム３３に向けて下方に押圧しつつ、カバー溶着面７０の溶着リブ７１を超音波溶着する。
【００９１】
すると、溶着リブ７１が溶解し、ベースフレーム３３とカバーフレーム３４とが溶着される。
【００９２】
このとき、１対のベース前傾斜溶着面３５Ｂのそれぞれに対して、１対のカバー前傾斜溶着面５６Ｆのそれぞれが上方から押圧し、また、１対のベース後傾斜溶着面３５Ｄのそれぞれに対して、１対のカバー後傾斜溶着面６２Ａのそれぞれが上方から押圧する。
【００９３】
これにより、１対のカバー前傾斜溶着面５６Ｆのそれぞれは、１対のベース前傾斜溶着面３５Ｂのそれぞれから前上方に向かう反力を受ける。そして、その反力は、上方に向かう反力と前方に向かう反力に分散される。
【００９４】
一方、１対のカバー後傾斜溶着面６２Ａのそれぞれは、１対のベース後傾斜溶着面３５Ｄのそれぞれから後上方に向かう反力を受ける。そして、その反力は、上方に向かう反力と後方に向かう反力に分散される。
【００９５】
そのため、カバーフレーム３４とベースフレーム３３とを溶着する際に、カバーフレーム３４が受ける反力は、前後方向において、中央部分を中心として反対方向に分散される。
５．現像フレームへのシール材の貼着
上記したように、カバーフレーム３４とベースフレーム３３とを溶着した後は、図４Ｃに示すように、現像フレーム３１にシール材８０を貼着する。具体的には、カバーフレーム３４の載置部６３にシール材８０を貼着する。
【００９６】
カバーフレーム３４とベースフレーム３３とを溶着した状態においては、載置部６３の凹部６３Ａは、ベースフレーム３３のベース後傾斜溶着面３５Ｄに当接している。そして、シール材８０の左右方向両端部が凹部６３Ａを後方から覆うように、載置部６３にシール材８０を貼着する。
【００９７】
このとき、凹部６３Ａとベース後傾斜溶着面３５Ｄとの境界に、シール材８０の左右方向両端部が跨って貼着されている。詳しくは、前後方向に見たときに、シール材８０の左右方向両端部は、凹部６３Ａとベース後傾斜溶着面３５Ｄとの境界に重なっており、さらには、溶着部分８１よりも左右方向内方の境界と重なっている。
【００９８】
その後、層厚規制ブレード４をベースフレーム３３のブレード位置決めボス４３によって位置決めしつつ、図示しないねじをブレード位置決めボス４３に螺合することにより、層厚規制ブレード４をベースフレーム３３に取り付ける。
【００９９】
この状態において、シール材８０は、カバーフレーム３４の凹部６３Ａ、および、ベースフレーム３３のベース後傾斜溶着面３５Ｄと、層厚規制ブレード４との間に位置している。
６．作用効果
（１）この現像カートリッジ１によれば、図３Ａおよび図３Ｂに示すように、ベース前傾斜溶着面３５Ｂは、前方に向かうに従って下方に傾斜し、ベース後傾斜溶着面３５Ｄは、後方に向かうに従って下方に傾斜している。同様に、カバー前傾斜溶着面５６Ｆは、前方に向かうに従って下方に傾斜し、カバー後傾斜溶着面６２Ａは、後方に向かうに従って下方に傾斜している。そして、上下方向において、ベース前傾斜溶着面３５Ｂとカバー前傾斜溶着面５６Ｆとが重なり合い、ベース後傾斜溶着面３５Ｄとカバー後傾斜溶着面６２Ａとが重なり合う。また、これらの前後方向中央では、上下方向において、ベース中央溶着面３５Ａとカバー中央溶着面５６Ｅとが重なり合う。
【０１００】
そのため、カバーフレーム３４がベースフレーム３３に対して溶着される際に下方に押圧されても、カバーフレーム３４がベースフレーム３３から受ける力を、前後方向において反対方向に分散させることができる。
【０１０１】
その結果、溶着時におけるベースフレーム３３とカバーフレーム３４との間の位置ずれを抑制できる。
【０１０２】
また、ベース前傾斜溶着面３５Ｂとカバー前傾斜溶着面５６Ｆとの接合部分、ベース後傾斜溶着面３５Ｄとカバー後傾斜溶着面６２Ａとの接合部分は、溶着リブ７１によって溶着される。
【０１０３】
そのため、溶着時におけるベースフレーム３３とカバーフレーム３４との間の位置ずれを一層抑制できる。
（２）また、この現像カートリッジ１によれば、図３Ａに示すように、カバー前傾斜溶着面５６Ｆは、中央鍔部５６Ａのカバー中央溶着面５６Ｅと連続し、かつ、中央鍔部５６Ａのカバー中央溶着面５６Ｅに対して前方に位置する。カバー後傾斜溶着面６２Ａは、中央鍔部５６Ａのカバー中央溶着面５６Ｅと連続し、かつ、中央鍔部５６Ａのカバー中央溶着面５６Ｅに対して後方に位置する。
【０１０４】
そのため、カバーフレーム３４において、カバー後傾斜溶着面６２Ａおよびカバー前傾斜溶着面５６Ｆをバランスよく位置させることができる。
【０１０５】
同様に、図３Ｂに示すように、ベース前傾斜溶着面３５Ｂは、ベース中央溶着面３５Ａと連続し、かつ、ベース中央溶着面３５Ａに対して前方に位置する。ベース後傾斜溶着面３５Ｄは、ベース中央溶着面３５Ａと連続し、かつ、ベース中央溶着面３５Ａに対して後方に位置する。
【０１０６】
そのため、ベースフレーム３３において、ベース前傾斜溶着面３５Ｂとベース後傾斜溶着面３５Ｄとをバランスよく位置させることができる。
【０１０７】
その結果、カバーフレーム３４がベースフレーム３３に対して溶着される際に、カバーフレーム３４がベースフレーム３３から受ける力をバランスよく分散させることができる。
【０１０８】
よって、溶着時におけるベースフレーム３３とカバーフレーム３４との間の位置ずれを一層抑制できる。
（３）また、この現像カートリッジ１によれば、図４Ｃに示すように、シール材８０は、前後方向に見たときに、シール材８０の左右方向両端部は、凹部６３Ａとベース後傾斜溶着面３５Ｄとの境界に重なっており、より詳しくは、溶着部分８１よりも左右方向内方の境界と重なっている。
【０１０９】
そのため、シール材８０によって、ベースフレーム３３とカバーフレーム３４との間であって、溶着部分８１よりも左右方向内方部分からトナーが漏れることを抑制できる。
【０１１０】
また、ベースフレーム３３とカバーフレーム３４との間の位置ずれを抑制することにより、凹部６３Ａとベース後傾斜溶着面３５Ｄとの境界からトナーが漏れることを抑制できる。
７．変形例
図５Ａ〜図１０を参照して、現像カートリッジ１の変形例を説明する。なお、以下の変形例において、上記第１実施形態と同様の部材には同様の符号を付し、その説明を省略する。
（１）第２実施形態
（１−１）第２実施形態の現像カートリッジの詳細
第２実施形態では、前壁３６に溶着面が位置する。
【０１１１】
詳しくは、図５Ｂおよび図６に示すように、ベースフレーム３３では、前壁３６の上端面は、前方に向かうに従って下方に向かうように傾斜している。前壁３６の上端面が、ベース前溶着面３６Ｂである。ベース前溶着面３６Ｂは、第３溶着面の一例を構成している。
【０１１２】
また、第２実施形態では、１対の側壁３５のそれぞれでの上端面では、ベース前傾斜溶着面３５Ｂおよびベース前端溶着面３５Ｃが位置しておらず、ベース中央溶着面３５Ａの前端部が前方に向かって延びており、ベース前溶着面３６Ｂの左右方向両端部と連続している。
【０１１３】
また、操作部３８の上端面は、平面視略矩形状を有しており、前方に向かうに従って上方に向かうように傾斜している。換言すれば、操作部３８の上端面は、後方に向かうに従って下方に向かうように傾斜している。操作部３８の上端面は、前壁３６のベース前溶着面３６Ｂと連続している。すなわち、操作部３８は、ベース前溶着面３６Ｂの前方側に連続している。操作部３８の上端面が、ベース操作部溶着面３８Ａである。
【０１１４】
図５Ａおよび図６に示すように、カバーフレーム３４では、鍔部５４において、第１実施形態における前鍔部５５に代えて、前蓋部５３の前下端部から前方に突出する部分が、前傾斜鍔部８５として構成されている。
【０１１５】
前傾斜鍔部８５は、平面視略矩形状の平板形状を有しており、前方に向かうに従って下方に向かうように傾斜している。前傾斜鍔部８５の下面が、カバー前傾斜溶着面８５Ａである。カバー前傾斜溶着面８５Ａが、第６溶着面の一例を構成している。前傾斜鍔部８５の左右方向中央部分の前端部からは、突出鍔部８６が前方に突出している。
【０１１６】
突出鍔部８６は、平面視略矩形状の平板形状を有しており、前方に向かうに従って上方に向かうように傾斜している。換言すれば、突出鍔部８６は、後方に向かうに従って下方に向かうように傾斜している。突出鍔部８６の下面が、カバー突出溶着面８６Ａである。カバー突出溶着面８６Ａには、下方に向かって突出する凸条の溶着リブ８７が位置している。溶着リブ８７は、溶着リブ７１と連続している。
【０１１７】
そして、ベースフレーム３３とカバーフレーム３４との溶着の際には、ベース前溶着面３６Ｂとカバー前傾斜溶着面８５Ａとが当接し、ベース操作部溶着面３８Ａとカバー突出溶着面８６Ａとが当接し、溶着リブ７１とともに溶着リブ８７が超音波溶着される。
【０１１８】
これにより、ベースフレーム３３とカバーフレーム３４とが溶着される。そして、ベース前溶着面３６Ｂとカバー前傾斜溶着面８５Ａとの溶着部分に、操作部３８と突出鍔部８６との溶着部分、詳しくは、ベース操作部溶着面３８Ａとカバー突出溶着面８６Ａとの溶着部分が連続する。
（１−２）第２実施形態の作用効果
第２実施形態の現像カートリッジ１によれば、図５Ａおよび図５Ｂに示すように、ベース前溶着面３６Ｂは、前方に向かうに従って下方に傾斜している。同様に、カバー前傾斜溶着面８５Ａは、前方に向かうに従って下方に傾斜している。そして、上下方向において、ベース前溶着面３６Ｂとカバー前傾斜溶着面８５Ａとが重なり合う。
【０１１９】
これにより、第１実施形態と同様の効果を得ることができる。
【０１２０】
また、操作部３８は、ベース前溶着面３６Ｂの前方側に連続している。
【０１２１】
そのため、ベース前溶着面３６Ｂが傾斜している分だけ、操作部３８を後方側に位置させることができる。その結果、現像カートリッジ１の小型化を図れる。
【０１２２】
また、前壁３６の上端面にベース前溶着面３６Ｂが位置している。
【０１２３】
そのため、ベースフレーム３３において、ベース後傾斜溶着面３５Ｄおよびベース前溶着面３６Ｂをバランスよく位置させることができる。
【０１２４】
その結果、溶着時におけるベースフレーム３３とカバーフレーム３４との間の位置ずれを一層抑制できる。
（２）第３実施形態
（２−１）第３実施形態の現像カートリッジの詳細
第３実施形態では、ベースフレーム３３とカバーフレーム３４との接合面では、前後方向に延びる溶着面を挟んで、前上方に延びる溶着面が前方に位置し、後上方に延びる溶着面が後方に位置する。
【０１２５】
すなわち、ベース前端溶着面３５Ｃにカバー前端溶着面５６Ｇが当接し、第２溶着面の一例としてのベース前傾斜溶着面３５Ｂに第５溶着面の一例としてのカバー前傾斜溶着面５６Ｆが当接し、第３溶着面の一例としてのベース操作部後側溶着面３８Ｂに第６溶着面の一例としてのカバー突出部溶着面９１Ａが当接する。
【０１２６】
詳しくは、図７Ｂおよび図８に示すように、操作部３８の上端面には、ベース操作部後側溶着面３８Ｂと、ベース操作部前側溶着面３８Ｃとが位置している。
【０１２７】
ベース操作部後側溶着面３８Ｂは、操作部３８の上端面の後方部分に位置しており、前方に向かうに従って上方に向かうように傾斜している。換言すれば、ベース操作部後側溶着面３８Ｂは、後方に向かうに従って下方に向かうように傾斜している。ベース操作部後側溶着面３８Ｂは、前壁３６のベース前溶着面３６Ａの左右方向中央部分に連続している。
【０１２８】
ベース操作部前側溶着面３８Ｃは、左右方向に長い平面視略矩形状の平板形状を有し、ベース操作部後側溶着面３８Ｂから連続して前方に延びている。ベース操作部前側溶着面３８Ｃは、操作部３８の上端面の前方部分に位置している。
【０１２９】
図７Ａおよび図８に示すように、カバーフレーム３４では、前鍔部５５の左右方向中央部分の前端部から、突出鍔部９０が前方に突出している。
【０１３０】
突出鍔部９０は、傾斜突出部９１と、前側突出部９２とを備えている。
【０１３１】
傾斜突出部９１は、平面視略矩形状の平板形状を有しており、前方に向かうに従って上方に向かうように傾斜している。換言すれば、傾斜突出部９１は、後方に向かうに従って下方に向かうように傾斜している。傾斜突出部９１の下面が、カバー突出部溶着面９１Ａである。
【０１３２】
前側突出部９２は、傾斜突出部９１から連続して前方に延びている。前側突出部９２は、左右方向に長い平面視略矩形の平板形状を有している。前側突出部９２の下面が、カバー突出部前側溶着面９２Ａである。カバー突出部前側溶着面９２Ａおよびカバー突出部溶着面９１Ａには、下方に向かって突出する凸条の溶着リブ９３が位置している。溶着リブ９３は、溶着リブ７１に連続している。
【０１３３】
また、第３実施形態では、ベースフレーム３３のベース前端溶着面３５Ｃが第１溶着面を構成し、カバーフレーム３４のカバー前端溶着面５６Ｇが第４溶着面を構成している。
【０１３４】
そして、ベースフレーム３３とカバーフレーム３４との溶着の際には、ベース操作部後側溶着面３８Ｂとカバー突出部溶着面９１Ａとが当接し、ベース操作部前側溶着面３８Ｃとカバー突出部前側溶着面９２Ａとが当接し、ベース前端溶着面３５Ｃとカバー前端溶着面５６Ｇとが当接し、溶着リブ７１とともに溶着リブ９３が超音波溶着される。
【０１３５】
これにより、ベースフレーム３３とカバーフレーム３４とが溶着される。そして、ベース前溶着面３６Ａとカバー前溶着面５５Ａとの溶着部分に、操作部３８と突出鍔部９０との溶着部分、詳しくは、ベース操作部後側溶着面３８Ｂとカバー突出部溶着面９１Ａとの溶着部分が連続する。
【０１３６】
なお、ベースフレーム３３では、１対のベース後傾斜溶着面３５Ｄが後方に向かうにつれて下方に向かうように傾斜し、カバーフレーム３４では、１対のカバー後傾斜溶着面６２Ａが後方に向かうにつれて下方に向かうように傾斜しているが、これらは、前後方向に延びていてもよい。
（２−２）第３実施形態の作用効果
第３実施形態の現像カートリッジ１によれば、図７Ａおよび図７Ｂに示すように、ベース前傾斜溶着面３５Ｂは、前方に向かうに従って下方に傾斜し、ベース操作部後側溶着面３８Ｂは、後方に向かうに従って下方に傾斜している。同様に、カバー前傾斜溶着面５６Ｆは、前方に向かうに従って下方に傾斜し、カバー突出部溶着面９１Ａは、後方に向かうに従って下方に傾斜している。そして、上下方向において、ベース前傾斜溶着面３５Ｂとカバー前傾斜溶着面５６Ｆとが重なり合い、ベース操作部後側溶着面３８Ｂとカバー突出部溶着面９１Ａとが重なり合う。また、ベース前端溶着面３５Ｃとカバー前端溶着面５６Ｇとが重なり合う。
【０１３７】
これにより、第１実施形態と同様の効果を得ることができる。
【０１３８】
また、操作部３８の上端面に、ベース操作部後側溶着面３８Ｂが位置している。
【０１３９】
そのため、ベースフレーム３３において、ベース前傾斜溶着面３５Ｂおよびベース操作部後側溶着面３８Ｂをバランスよく位置させることができる。
【０１４０】
その結果、溶着時におけるベースフレーム３３とカバーフレーム３４との間の位置ずれを一層抑制できる。
（３）第４実施形態
（３−１）第４実施形態の現像カートリッジの詳細
第４実施形態では、ベースフレーム３３とカバーフレーム３４との接合面では、前後方向に延びる溶着面の前方に間隔を隔てて前下方に延びる溶着面が位置する。
【０１４１】
すなわち、第３溶着面の一例としてのベース操作部前側溶着面３８Ｅに第６溶着面の一例としてのカバー突出部前側溶着面９７Ａが当接する。
【０１４２】
詳しくは、図９Ｂおよび図１０に示すように、操作部３８の上端面には、ベース操作部後側溶着面３８Ｄと、ベース操作部前側溶着面３８Ｅとが位置している。
【０１４３】
ベース操作部後側溶着面３８Ｄは、操作部３８の上端面の後方部分に位置しており、前方に向かうに従って上方に向かうように傾斜している。換言すれば、ベース操作部後側溶着面３８Ｄは、後方に向かうに従って下方に向かうように傾斜している。ベース操作部後側溶着面３８Ｄは、前壁３６のベース前溶着面３６Ａの左右方向中央部分に連続している。
【０１４４】
ベース操作部前側溶着面３８Ｅは、ベース操作部後側溶着面３８Ｄから連続して前下方に延びている。ベース操作部前側溶着面３８Ｅは、操作部３８の上端面の前方部分に位置しており、前方に向かうに従って下方に向かうように傾斜している。換言すれば、ベース操作部前側溶着面３８Ｅは、後方に向かうに従って上方に向かうように傾斜している。
【０１４５】
図９Ａおよび図１０に示すように、カバーフレーム３４では、前鍔部５５の左右方向中央部分の前端部から、突出鍔部９５が前方に突出している。
【０１４６】
突出鍔部９５は、後側突出部９６と、前側突出部９７とを備えている。
【０１４７】
後側突出部９６は、平面視略矩形状の平板形状を有しており、前方に向かうに従って上方に向かうように傾斜している。換言すれば、後側突出部９６は、後方に向かうに従って下方に向かうように傾斜している。後側突出部９６の下面が、カバー突出部後側溶着面９６Ａである。
【０１４８】
前側突出部９７は、後側突出部９６から連続して前下方に延びている。前側突出部９７は、平面視略矩形状の平板形状を有しており、前方に向かうに従って下方に向かうように傾斜している。換言すれば、前側突出部９７は、後方に向かうに従って上方に向かうように傾斜している。前側突出部９７の下面が、カバー突出部前側溶着面９７Ａである。
【０１４９】
カバー突出部前側溶着面９７Ａおよびカバー突出部後側溶着面９６Ａには、下方に向かって突出する凸条の溶着リブ９８が位置している。溶着リブ９８は、溶着リブ７１に連続している。
【０１５０】
そして、ベースフレーム３３とカバーフレーム３４との溶着の際には、ベース操作部後側溶着面３８Ｄとカバー突出部後側溶着面９６Ａとが当接し、ベース操作部前側溶着面３８Ｅとカバー突出部前側溶着面９７Ａとが当接し、溶着リブ７１とともに溶着リブ９８が超音波溶着される。
【０１５１】
これにより、ベースフレーム３３とカバーフレーム３４とが溶着される。そして、ベース前溶着面３６Ａとカバー前溶着面５５Ａとの溶着部分に、操作部３８と突出鍔部９５との溶着部分、詳しくは、ベース操作部後側溶着面３８Ｄとカバー突出部後側溶着面９６Ａとの溶着部分が連続する。
【０１５２】
なお、ベースフレーム３３では、１対のベース前傾斜溶着面３５Ｂが前方に向かうにつれて下方に傾斜し、カバーフレーム３４では、１対のカバー前傾斜溶着面５６Ｆが前方に向かうにつれて下方に傾斜しているが、これらは、前後方向に延びていてもよい。
（３−２）第４実施形態の作用効果
第３実施形態の現像カートリッジ１によれば、図９Ａおよび図９Ｂに示すように、ベース操作部前側溶着面３８Ｅは、前方に向かうに従って下方に傾斜している。同様に、カバー突出部前側溶着面９７Ａは、前方に向かうに従って下方に傾斜している。そして、上下方向において、ベース操作部前側溶着面３８Ｅとカバー突出部前側溶着面９７Ａとが重なり合う。
【０１５３】
これにより、第１実施形態と同様の効果を得ることができる。
【０１５４】
また、操作部３８の上端面に、ベース操作部前側溶着面３８Ｅが位置している。
【０１５５】
そのため、ベースフレーム３３において、ベース後傾斜溶着面３５Ｄおよびベース操作部前側溶着面３８Ｅをバランスよく位置させることができる。
【０１５６】
その結果、溶着時におけるベースフレーム３３とカバーフレーム３４との間の位置ずれを一層抑制できる。
【符号の説明】
【０１５７】
１      現像カートリッジ
２      現像ローラ
４      層厚規制ブレード
３３    ベースフレーム
３４    カバーフレーム
３５Ｂ  ベース前傾斜溶着面
３５Ｃ  ベース前端溶着面
３５Ｄ  ベース後傾斜溶着面
３６Ａ  ベース前溶着面
３６Ｂ  ベース前溶着面
３８    操作部
３８Ａ  ベース操作部溶着面
３８Ｂ  ベース操作部後側溶着面
３８Ｅ  ベース操作部前側溶着面
５５Ａ  カバー前溶着面
５６Ａ  中央鍔部
５６Ｆ  カバー前傾斜溶着面
５６Ｇ  カバー前端溶着面
６２Ａ  カバー後傾斜溶着面
８０    シール材
８１    溶着部分
８５Ａ  カバー前傾斜溶着面
９１Ａ  カバー突出部溶着面
９７Ａ  カバー突出部前側溶着面
【図１】
2016045397.tif 000003
【図２】
2016045397.tif 000004
【図３】
2016045397.tif 000005
【図４】
2016045397.tif 000006
【図５】
2016045397.tif 000007
【図６】
2016045397.tif 000008
【図７】
2016045397.tif 000009
【図８】
2016045397.tif 000010
【図９】
2016045397.tif 000011
【図１０】
2016045397.tif 000012